【事件の表示】
　特願２００６−１６２７３６「弾球遊技機における入賞装置」拒絶査定不服審判事件〔平成１９年１２月２７日出願公開、特開２００７−３３０３４１〕について、次のとおり審決する。
【結　論】
　本件審判の請求は、成り立たない。
【理　由】
１．手続の経緯 
　本願の手続の経緯概要は以下のとおりである。
　平成１８年　６月１２日　出願
　平成２１年１２月　３日　拒絶理由通知
　平成２２年　１月２９日　手続補正
　平成２２年　２月１８日　拒絶査定
　平成２２年　５月２３日　拒絶査定不服審判請求、手続補正Ａ
　平成２２年　９月２１日　審尋
　平成２２年１１月２７日　回答書
　平成２３年　２月２８日　補正却下（手続補正Ａ）、拒絶理由通知
　平成２３年　４月３０日　手続補正
　　　 
２．本願発明 
　本願の請求項１に記載された発明は、平成２３年４月３０日付けの手続補正により補正された特許請求の範囲の請求項１に記載された以下のとおりのものと認める。
　「遊技盤面に対接させて取り付けられ、遊技球を１個あて取り入れるための入賞口が開口された基台と、
　前記入賞口よりも前記遊技球の自由落下方向下側であって前記入賞口の左右方向幅のほぼ中央に位置されて前記基台に固定された１本の遊技球誘導体と、
を有し、
　前記入賞口は遊技者側に向けて常時開放されている開口からなり、
　前記遊技球誘導体は遊技球より小さい左右方向幅を有し、
　前記遊技球誘導体は前記基台から遊技者側に突出する唯一の部材として前記基台に一体的に設けられており、
　前記遊技球誘導体はその上面が前記入賞口の下側開口面と面一になるように設け、
　前記遊技球誘導体によって前記遊技球が前記入賞口に誘導されるように構成したことを特徴とする弾球遊技機における入賞装置。」（以下、「本願発明」という。） 
　 
３．引用文献　 
（１）引用文献１
　当審の拒絶の理由で引用された実願昭５９−６６１８８号（実開昭６０−１７７８７７号）の マイクロフィルムには、以下の記載がある。なお、以下において、「／」は本文における改行を意味している。  
（１ａ）「［実施例］／第１図は、パチンコ遊技機の遊技盤の背面に装着された誘導路と検出器とからなる本考案に係る入賞球検出装置の一実施例を示すものである。／同図において、１０は前面にガイドレールで囲まれた遊技部を有する遊技盤を貫通するように取り付けられたいわゆる飛び込み型の入賞装置で、この入賞装置１０の遊技盤背部に臨んだ後端部の下方には、上記遊技部から飛び込んで来た打球が流出する流出口１０ａが設けられている。」（明細書第５頁第８行乃至第１７行） 
（１ｂ）「第３図〜第５図は、本考案に係る入賞球検出装置が適用される飛び込み型の入賞装置およびその取付構造の一実施例を示すものである。／飛び込み型入賞装置１０は、半円筒状をなす箱枠１１と、この箱枠１１の前端部にフランジ状に形成された取付け基板１２と、上記半円筒状箱枠１１の底面の特に前半分を閉塞するように形成された玉通路１３と箱枠１１の後端面を閉塞する後面板１４とによって構成されている。／上記箱枠１１の前端部には、球の径の２倍以上の幅を有する比較的広い開口部が形成され、入賞口１５を構成している。・・・／上記玉通路１３の上面は後方へ向かってゆっくりと下り傾斜となるように形成し、入賞球口１５（審決注；「入賞口１５」の誤記と認める。）に入った打球が流出口１０ａに向って転動し易いようにしてあるとともに、玉通路１３の前縁には一旦入賞した打球の逆流を防止するための突起１６が、また玉通路１３の中央にはＶ字状の溝１７が形成してある。突起１６の前面は、入賞確率を制御するため取付け基板１２の下部開口部１２ａにて遊技盤１２（審決注；「遊技盤２０」の誤記と認める。）に打ち込まれる障害釘１８に衝突して跳ね上がった打球を入賞し易くさせるべく後方へ向って傾斜させてある。」（明細書第９頁第６行乃至第１０頁第１０行）
（１ｃ）「上記のように構成された入賞装置１０は、第４図に示すように、遊技盤２０の適当な位置にこれを貫通するように形成された貫通孔２０ａに挿入し、遊技盤２０に接合した取付け基板１２の止着部１９にネジを挿入して遊技盤にねじ込むことにより固定される。そして、このように遊技盤２０を貫通して装着された入賞装置１０の流出口１０ａに、上端の流入口１ａが対向するように上記誘導樋１が遊技盤２０の背面に取り付けられる。」（明細書第１０頁第１６行乃至第１１頁第４行）
（１ｄ）第３図乃至第５図の記載を併せれば、図面には「入賞口１５より下側に、入賞口１５の左右方向幅より小さい間隔で左右方向に位置する、２本の障害釘１８」が示されている。
　
　したがって、引用文献１には、　 
「前面にガイドレールで囲まれた遊技部を有する遊技盤２０を貫通するように形成された貫通孔２０ａに挿入し、該遊技盤２０に接合した取付け基板１２の止着部１９にネジを挿入して該遊技盤２０にねじ込むことにより固定される、パチンコ遊技機の飛び込み型入賞装置１０であって、 
　（Ａ）該入賞装置１０の遊技盤背部に臨んだ後端部の下方には、前記遊技部から飛び込んで来た打球が流出する流出口１０ａが設けられ、　 
　（Ｂ）前記入賞装置１０は、半円筒状をなす箱枠１１と、この箱枠１１の前端部にフランジ状に形成された前記取付け基板１２と、前記半円筒状箱枠１１の底面の前半分を閉塞するように形成された玉通路１３と前記箱枠１１の後端面を閉塞する後面板１４とによって構成され、 
　前記箱枠１１の前端部には、球の径の２倍以上の幅を有する比較的広い開口部が形成されて、入賞口１５を構成し、　 
　前記玉通路１３の上面は後方へ向かってゆっくりと下り傾斜となるように形成し、前記入賞口１５に入った打球が前記流出口１０ａに向って転動し易いようにしてあるとともに、前記玉通路１３の前縁には一旦入賞した打球の逆流を防止するための突起１６が、形成してあり、 
　該突起１６の前面は、入賞確率を制御するため前記取付け基板１２の下部開口部１２ａにて前記遊技盤２０に打ち込まれる障害釘１８に衝突して跳ね上がった打球を入賞し易くさせるべく後方へ向って傾斜させてあり、 
　（Ｃ）前記障害釘１８は前記入賞口１５より下側に、前記入賞口１５の左右方向幅より小さい間隔で左右方向に位置する、２本の障害釘１８である、パチンコ遊技機の飛び込み型入賞装置１０。」の発明（以下、「引用発明」という。）が記載されていると認められる。
　
（２）引用文献２
　当審の拒絶の理由で引用された特開平１０−２８７５７号公報（以下、「引用文献２」という。）には、以下の記載がある。 
（２ａ）「【解決手段】遊技盤１の前面に形成された遊技部２に止着される取付基板５１の前方に、打球が１個あて入賞可能な入賞部５２を形成する。該入賞部５２へ入賞した打球を検出する遊技球検出手段５５を備える。入賞部５２下方の取付基板５１に、入賞部５２を通過した打球が流入可能な開口部５１Ａを設ける。又該開口部５１Ａの前面側には、遊技球検出手段５５により検出された打球を遊技盤前面の所定方向へ流下案内する突出状の打球案内部５７を設ける。更に、上記開口部５１Ａの前面側には、該開口部５１Ａと打球案内部５７とのどちらか一方に流下検出打球を振り分ける振分け手段５８を備えたこと。」（【要約】）
（２ｂ）「【発明の属する技術分野】本発明は、遊技機の入賞装置に係り、とくに、遊技盤の遊技部に止着されて使用され打球１個あての入賞を可能とする遊技機の入賞装置に関する。」（段落【０００１】） 
（２ｃ）「〔入賞装置の構成及び機能〕次に、前述した入賞装置２６，２７について更に具体的に説明する。ここで、一方の入賞装置２６と他方の入賞装置２７とは、左右対称に形成されて前述した遊技領域２に配設されることから、ここでは、一方の入賞装置２６について説明する。」（段落【００３２】） 
（２ｄ）「上記開口部５１Ａの前面側で上記取付基板５１の下端部には、打球案内部としての打球受けプレート５７が突設されている。この打球受けプレート５７は、その上面である打球受け面５７Ａが上記開口部５１Ａの下端縁を同一面に含んだ状態で取付基板５１から前面側に突設されている。この打球受けプレート５７は、入賞部５２を通過した（遊技球検知センサ５５によって検知された）打球が、遊技盤前面で所定方向へ流下するのを案内する機能を備えている。ここで、打球受けプレート５７の打球受け面５７Ａは、本実施形態にあっては、入賞部５２を通過した球が遊技領域２の中央よりに案内されるように、遊技領域２の中央部（図３では右方向）に向けて下がった状態の傾斜面をなしている。」（段落【００３９】）
（２ｅ）「〔実施例（３）〕図８（Ｃ）にこれを示す。この実施例（３）では、振分け部６３を前述した打球受けプレート５７上に設けられた比較的幅の広い遊技球反射面で形成した点に特徴を備えている。これを更に詳述すると、この振分け部６３としての遊技球反射面は、短冊状の平坦面をなし、且つ前述した打球受けプレート５７の突出端部から取付基板５１の開口部５１Ａに向けて幾分傾斜した状態の傾斜面を成している。」（段落【００４９】）
（２ｆ）「なお、前述した実施形態および実施例において、開口部５１Ａを入賞球又はワープ球のために用いた例を開示したが」（段落【００５９】）
（２ｇ）「請求項１記載の発明では、遊技球検出手段を備えた入賞部と遊技部の開口部（入賞口又はワープ入口等）とを同一箇所に装備可能に構成したので、とくに遊技盤上のゲートと開口部とを別々に設けることによって生じていた従来例の不都合，例えば遊技ホールでの釘調整の手間を確実に軽減することができ、ゲートに入った球が開口部へ流入する期待感を保持させることが可能となり、同時に盤面上でのゲートと開口部との占有面積を少なくすることができ、盤面レイアウトの自由度を大きくとることが可能となった。」。（段落【００６１】）
（２ｈ）【図８】（Ｃ）には、振分け部６３は開口部５１Ａの左右方向幅のほぼ中央に位置することが図示されている。　 
　
４．対比  
（ａ）引用発明の「遊技盤２０に接合した」は本願発明の「遊技盤面に対接させて」に相当し、以下同様に「打球」は「遊技球」に、「入賞口１５」は「入賞口」に、「取付け基板１２」は「基台」に、「障害釘１８」は「遊技球誘導体」に、「パチンコ遊技機」は「弾球遊技機」に、「飛び込み型入賞装置１０」は「入賞装置」に、それぞれ相当する。
（ｂ）引用発明の「入賞口１５」が、「遊技球を取り入れるための」ものであること、および「遊技者側に向けて常時開放されている開口からな」るものであることは、引用文献１の第４図および弾球遊技機の技術常識からみて明らかである。 
（ｃ）引用発明の「障害釘１８」について検討する。 
（ｃ−１）当該「障害釘１８」は、「取付け基板１２の下部開口部１２ａにて遊技盤２０に打ち込まれる」もので、「入賞口１５より下側に、位置する」ものであるから、引用発明と本願発明は「入賞口よりも遊技球の自由落下方向下側に位置されて固定された遊技球誘導体」において一致している。 
（ｃ−２）当該「障害釘１８」は、「入賞口１５の左右方向幅より小さい間隔で左右方向に位置する、２本の障害釘１８」である。ここで、単独の「障害釘１８」が「入賞口より小さい左右方向幅を有」していることは明らかであるから、引用発明は本願発明の「遊技球誘導体は入賞口より小さい左右方向幅を有し、」に相当する構成を有している。
（ｃ−３）当該「障害釘１８」は、「取付け基板１２の下部開口部１２ａにて遊技盤２０に打ち込まれる」ものであるが、引用文献１の第４図および弾球遊技機の技術常識からみて「遊技者側に突出する」ものといえ、引用文献１の第３図及び第４図からみて遊技者側に突出する部材は「障害釘１８」以外には存在しないから、引用発明と本願発明は「遊技球誘導体は基台側から遊技者側に突出する唯一の部材として設けられており、」において一致している。 
（ｃ−４）当該「障害釘１８」は、「遊技盤２０に打ち込まれる打球を衝突させて跳ね上がらせ、入賞口１５に入賞し易くさせる」ものであるから、引用発明が本願発明の「遊技球誘導体によって遊技球が入賞口に誘導されるように構成した」に相当する構成を有していることは明らかである。 
　
　そうすると、両者は、　 
「遊技盤面に対接させて取り付けられ、遊技球を取り入れるための入賞口が開口された基台と、 
　前記入賞口よりも前記遊技球の自由落下方向下側に位置されて固定された遊技球誘導体と、 
　を有し、 
　前記入賞口は遊技者側に向けて常時開放されている開口からなり、 
　前記遊技球誘導体は前記入賞口より小さい左右方向幅を有し、 
　前記遊技球誘導体は前記基台側から遊技者側に突出する唯一の部材として設けられており、 
　前記遊技球誘導体によって前記遊技球が前記入賞口に誘導されるように構成した、弾球遊技機における入賞装置。」である点で一致し、次の点で相違する。 
　
相違点１
　遊技球を取り入れるための入賞口が、本願発明では遊技球を１個あて取り入れるためのものであるのに対し、引用発明ではそのような構成ではない点。
相違点２
　遊技球誘導体が、本願発明では、入賞口の左右方向幅のほぼ中央に位置されて基台に固定された一本のもので、基台に一体的に設けられているのに対し、引用発明ではそのような構成ではない点。　 
相違点３　 
　遊技球誘導体は、本願発明ではその上面が入賞口の下側開口面と面一になるように設けられるのに対し、引用発明では入賞口より下側に位置する点。　 
５．判断  
（１）相違点１について  
　本願発明の「遊技球を１個あて取り入れる」はその技術的意義が必ずしも明確でないので、その技術的意義について検討する。平成２３年４月３０日付け意見書の第２頁第１１〜２３行には「（ｉｉ）・・これら出願当初の図１、図２、図３に示す入賞口１２は、遊技球１個分の受け入れに対応していると判断し得る点、・・・　なお、出願当初の図１、図２、図３は遊技球を１個あて受け入れるタイプの入賞具を示していることが明らかであり、その入賞口１２の中央部に遊技球誘導体１４が位置するという事柄だけからしても、遊技球誘導体は、その左右方向幅が遊技球よりも小さいと判断できます。」と記載され、第４頁第７〜２３行には「引用刊行物１に記載の発明は、遊技盤の前面に開口された球の径の２倍以上の幅を有する比較的開口面積の大きないわゆる飛び込み型の入賞口が設けられた入賞装置を対象とし・・・／これに対し、本願発明は、遊技球を１個あて取り入れるための入賞口を備えたタイプの入賞装置を対象としています。したがって本願発明の入賞装置は、球の径の２倍以上の幅を有する比較的広い開口部が入賞口として形成されている飛び込み型入賞装置とは、その性格を異にします。」と記載されている。そうすると、上記記載を考慮すると、「遊技球を１個あて取り入れる」は「遊技球を１個ずつ取り入れる」との技術的意義を有するものと解される。
　引用文献２に記載された入賞球のために用いられる開口部５１Ａは、遊技者側に向けて常時開放されている開口であって、本願発明の入賞口に相当するものである。そして、入賞部５２は打球が１個あて入賞可能にされたもの（引用文献２【要約】参照）であり、球通過口５４Ａが１個あて通過可能になっているものと解されるとともに、球通過口５４Ａと開口部５１Ａは図７の記載からみてほぼ同様の大きさとされていることから、開口部５１Ａは１個あて入賞可能となっているものと認められる。そうすると、引用文献２には、入賞口を遊技球を１個あて取り入れるようにするという技術事項Ａが記載されている。なお、入賞口を１個あて遊技球を取り入れるものとすることは、弾球遊技機において慣用手段でもある。
　したがって、引用発明も引用文献２に記載された技術事項Ａも入賞装置に関するもので共通しているから、引用発明に引用文献２に記載された技術事項Ａを適用し、引用発明の入賞口を遊技球を１個あて取り入れるためのものとすることにより相違点１に係る本願発明の構成とすることは、当業者であれば想到容易である。
　
（２）相違点２について
　引用文献２に記載された打球受けプレート５７の振分け部６３は、打球が所定方向へ流下するのを案内する機能を備えているもので、本願発明の遊技球誘導体に相当するものである。そして、振分け部６３は、開口部５１Ａの左右方向幅のほぼ中央に位置し取付基板５１（本願発明の基台に相当）に固定された一つのものといえる。そうすると、引用文献２には、「遊技球誘導体を入賞口の左右方向幅のほぼ中央に位置されて基台に固定された一本のもの」とするという技術事項Ｂが記載されている。
　また、多数の部品から構成される装置において、例えば成形時の容易性や組立取付け時の容易性を考慮して、多数の部品のうちの特定の部品を一体的に固定して設けることは、普通に採用されている事項にすぎない。
　したがって、引用発明に引用文献２に記載された技術事項Ｂを適用し、引用発明の遊技球誘導体（障害釘１８）を入賞口の左右方向幅のほぼ中央に位置されて基台に固定された一本の遊技球誘導体にするとともに、取付け基板１２に一体的に設けられたものとすることにより、相違点２に係る本願発明の構成とすることは、当業者であれば想到容易である。
　
（３）相違点３について
　引用文献２には、「この打球受けプレート５７は、その上面である打球受け面５７Ａが上記開口部５１Ａの下端縁を同一面に含んだ状態で取付基板５１から前面側に突設」（段落【００３９】）すると記載されており、「打球受け面５７Ａ」及び「開口部５１Ａの下端縁」は本願発明の「遊技球誘導体の上面」及び「入賞口の下側開口面」に相当するから、引用文献２には本願発明の「遊技球誘導体はその上面が入賞口の下側開口面と面一になるように設け」に相当する技術事項Ｃが記載されている。
　そうすると、引用発明の「遊技球誘導体（障害釘１８）」に引用文献２に記載された上記技術事項Ｃを適用し、当該相違点３に係る本願発明の構成とすることは、当業者であれば想到容易である。
　
　そして効果において、引用文献２には「盤面上でのゲートと開口部との占有面積を少なくすることができ、盤面レイアウトの自由度を大きくとることが可能となった」と記載されているから、本願発明による効果に格別のものは認められない。　 
 　 
　したがって、本願発明は、引用発明及び引用文献２に記載された各技術事項に基いて当業者が容易に発明をすることができたものである。　 
　
６．むすび 
　以上のとおり、本願発明は、当業者が容易に発明をすることができたものであるから、特許法２９条２項の規定により特許を受けることができない。 
　よって、結論のとおり審決する。